(57)【要約】      （修正有）【課題】ドレッドヘアなど頭髪を傷め易いヘアスタイルを模して、恰も当該ヘアスタイルの如き外観を呈し、しかも着脱が容易であり、需要者の趣味感も満たす頭髪用装飾品を提供する。【解決手段】ファイバー材を撚り合せ、柔軟性とボリューム感を保有した長尺体２を複数合せて房束３とし、その房束を途中で二折りし、クリップ材７の枢軸部に跨設し、対応する房束の基端を結束し、前記したファイバー材はアクリル素材を使用する。これにより、頭髪の一部にクリップ材７によって装飾することで、頭髪の外観的なボリュームを増し、ドレッドヘアを模した状態で頭髪を飾り、需要者の趣味感も十分に満足させることができる。【選択図】図１
0003164586.tif 000002
【実用新案登録請求の範囲】
【請求項１】
ファイバー材を撚り合せ、柔軟性とボリューム感を保有した長尺体を複数合せて房束とし、その房束を途中で二折りし、クリップ材の枢軸部に跨設し、対応する房束の基端を結束してあることを特徴とする装飾品。
【請求項２】
前記したファイバー材はアクリル素材を使用していることを特徴とする請求項１に記載の装飾品。
【請求項３】
前記した長尺体はその太さ、長さをランダムに形成してあることを特徴とする請求項１または請求項２に記載の装飾品。
【請求項４】
前記した長尺体のうち、一部に適宜、装飾部材を取り付けてあることを特徴とする請求項１から３のうち１項に記載の装飾品。
【請求項５】
前記したクリップ材は櫛歯形成されていることを特徴とする請求項１から４のうち１項に記載の装飾品。
【考案の詳細な説明】
【技術分野】
【０００１】
本考案は装飾品、特に頭髪用の装飾品として使用されることを主たる目的とした装飾品に関する。
【背景技術】
【０００２】
昨今、男女を問わずヘアスタイルには種々のものが開発採用されているが、そのなかでも特にドレッドヘアと称されるものは、多くの時間と費用を要するものであり、かつ、その維持にも多くの時間と手間がかかり、しかも非常に頭髪を傷め易いものとなっている。
【０００３】
また、いわゆるウィッグではドレッドヘアを彷彿させるものを製作するのは困難で、また、仮にできたとしても非常に高価なものとなってしまう。
【先行技術文献】
【特許文献】
【０００４】
出願人は、本願考案に関し、先行する技術文献を調査したが、格別に本願考案と関連し、類似すると思われる文献は発見できなかった。
【考案の概要】
【考案が解決しようとする課題】
【０００５】
本考案が解決しようとする問題点は、従来、時間や費用がかかり、しかも頭髪を傷め易いヘアスタイルを模して、恰も当該ヘアスタイルの如き外観を呈し、しかも着脱が容易であり、需要者の趣味感も満たすという製品は存在していなかったという点である。
【課題を解決するための手段】
【０００６】
上記した問題点を解決するために、本考案に係る装飾品は、ファイバー材を撚り合せ、柔軟性とボリューム感を保有した長尺体を複数合せて房束とし、その房束を途中で二折りし、クリップ材の枢軸部に跨設し、対応する房束の基端を結束してあることを特徴とし、前記したファイバー材はアクリル素材を使用していることを特徴としている。
【０００７】
また、本考案に係る装飾品は、前記した長尺体はその太さ、長さをランダムに形成してあることを特徴とし、前記した長尺体のうち、一部に適宜、装飾部材を取り付けてあることを特徴とし、前記したクリップ材は櫛歯形成されていることを特徴としている。
【考案の効果】
【０００８】
本考案に係る装飾品は上記のように構成されている。そのため、頭髪の一部にクリップ材によって装飾することで、頭髪の外観的なボリュームを増し、ドレッドヘアを模した状態で頭髪を飾り、需要者の趣味感も十分に満足させることができるものとなっている。
【０００９】
そして、本願に係る装飾品では頭髪を傷める虞はなく、簡単に着脱できるので、必要な時にのみ装着すればよく、維持のための手入れ等も不要となり、製品価格も低廉なため、安価で楽しむことができ、状況に応じて複数を用意し、選択使用することも可能となる。
【図面の簡単な説明】
【００１０】
【図１】本考案を実施した装飾品の斜視図である。
【図２】結束部分を示す図である。
【図３】クリップ材の側面図である。
【図４】正面図である。
【考案を実施するための形態】
【００１１】
図面として示し、実施例で説明したように構成したことで実現した。
【実施例１】
【００１２】
次に、本考案の好ましい実施の一例を図面を参照して説明する。図中１は本考案を実施した装飾品本体を示している。この装飾品本体１は複数本の長尺体２、２‥を有しており、この長尺体２、２‥はファイバー材、特にアクリル素材を撚り合せて形成されているもので、柔軟性を有し、絞りをかけていない部分では大径となってボリューム感を保有したものとなっている。
【００１３】
また、前記した長尺体２、２‥は各々がその長さ、太さとランダムに異ならしめて形成しており、その長尺体２、２‥をまとめて途中で二折りし、房束３を形成している。また、この房束３を形成するにあたり、屈曲部分４は長尺体２、２‥を絞り細径のものとし、その屈曲部分４の一方側及び基端には長尺体２、２‥と同質の紐もしくは糸５によって結束し、全体を一体化している。
【００１４】
さらに、適宜に選択された長尺体２、２‥には、ビーズ等の装飾部材６、６‥が、その中心に形成された貫通孔を通して取り付けられている。この装飾部材６、６‥が挿通された長尺体２はその挿通部分が装飾部材６自体によって絞られ、遊端の太径によって脱落する虞はない。尚、この装飾部材６、６‥は図としては球体のものを示しているが、これにこだわるものではなく、また、その装飾部材６に貫通孔を設けて長尺体２を挿通するという構成にもこだわらず、糸等を利用して吊持させる形態とすることも可能である。
【００１５】
また、前記房束３を構成する各長尺体２、２‥は揃いの単色でもよいが、各長尺体２、２‥ごとに着色を異ならしめることも、あるいは一本の長尺体２を部分的に着色または複数色で色分けすることも可能であり、使用者の目的や状況に応じて、あるいは好みに応じて採択することができる。
【００１６】
一方、図中７はクリップ材を示している。このクリップ材７は本実施例にあってはプラスチックで成形されており、一対の枢動体８、８を有している。この各枢動体８、８は合同形をしており、一方を上下反転させてセットされている。また、この枢動体８、８は開閉側の端縁に複数の櫛歯９、９‥が一体に成形され、良好に頭髪に留められる構成となっている。
【００１７】
さらに、一対の枢動体８、８は、内側に相互に重合するフランジ１０、１０‥が一体的に形成されており、その各々のフランジ１０、１０‥を貫通して枢動軸１１が設けられている。そして、この枢動軸１１の周囲には弦巻きバネ１２が巻装され、枢動体８、８を常に閉方向へ附勢している。枢動体８、８の櫛歯９と反対側には操作片１３、１３が外方へ湾曲されて一体に設けられ、この操作片１３、１３を摘むことで櫛歯９、９‥が開く構成となっている。
【００１８】
本実施例に係る装飾品本体１は上記のように構成されている。この場合、クリップ体７を頭髪の一部に挟み付けることで装着がなされるが、房束３をクリップ体７に巻き付けるようにすることで、より一層のボリューム感、盛り付ける感覚が生じることとなる。加えて、クリップ体７のみでは不安定な場合、ゴムバンド等で補強することもできる。
【産業上の利用可能性】
【００１９】
本実施例に係る装飾品は、頭髪用として説明してあるが、この頭髪用としての使用に限定されてしまうものではなく、服飾品やバッグ等の装飾品としても使用できるものであり、サイズを小型化すれば、ブローチやペンダント等にも応用できる。さらには、室内用インテリア等としても幅広く応用実施することができる。
【符号の説明】
【００２０】
１    装飾品本体
２    長尺体
３    房束
４    屈曲部分
５    長尺体と同一素材による糸
６    装飾部材
７    クリップ材
８    枢動体
９    櫛歯
１０  フランジ
１１  枢動軸
１２  弦巻きバネ
１３  操作片
【図１】
0003164586.tif 000003
【図２】
0003164586.tif 000004
【図３】
0003164586.tif 000005
【図４】
0003164586.tif 000006